(57)【特許請求の範囲】
【請求項１】
透明フィルムの端縁相互をシールして背シール部を備えるスリーブ状の胴部に、内容物を収納したＰＴＰシートを複数積層してなるＰＴＰ積載品を配し、前記胴部の両端をシールして端シール部により収納空間を閉じたガセット式包装体であって、
胴部の内側に、胴回り方向への略コ字状の折り起こしにより前記ＰＴＰ積載品を受けて前記端シール部側を開放している情報表示シートを位置させて、該情報表示シートの外表面の掲載情報が胴部の透明フィルムを通して視認可能に設けられ、
前記情報表示シートの前記開放部分に位置するＰＴＰシートそれぞれの対向二辺は、前記端シール部に対応していて、
前記情報表示シートにおける一方の端シール部側の外表面を接着部として胴部内面に貼り付けられているとともに、他方の端シール部側の外表面を非接着部とし、
前記胴部の透明フィルムは、前記非接着部と接着部との境界部分に沿って胴回り方向に切断可能に設けられて、前記ＰＴＰ積載品におけるＰＴＰシートを出し入れ可能にした情報表示シートの前記開放部分が、前記切断可能な部分から前記他方の端シール部側の透明フィルムで覆われていることを特徴とするガセット式包装体。
【発明の詳細な説明】
【０００１】
【発明の属する技術分野】
本発明は、錠剤、カプセル剤などの医薬品などを収納したＰＴＰシート（プレススルーパッケージシート）を複数まとめて収めるガセット式包装体に関するものである。
【０００２】
【発明が解決しようとする課題】
従来、錠剤、カプセル等の医薬品などを直接収納するために利用可能なＰＴＰシートは、塩化ビニルなどのプラスチックシートを成形して収納物（錠剤、カプセル剤など）に見合った大きさの収納物を設けたシート本体と、このシート本体の各収納部を封止する硬質アルミニウムシートからなる蓋シートから構成されている。そして、このような医薬品の流通過程や医薬業務を行なう部所においては、医薬品それぞれにおいて数量を多く取り扱うことから、このＰＴＰシートにおいて、収納部を例えば１０個（５行×２列）を設けたものを一シートとして、この複数シートをアルミニウム箔を含んだ、例えばポリエチレンテレフタレート／Ａｌ／ポリプロピレンのようなパリア性を有する複合フィルムでピロー包装した後、さらにこれを商品情報や取り扱い説明などを記載した化粧箱に入れる形態の包装体としており、このようにすることで同一の医薬品を多くまとめて取り扱えるようにしていた。
【０００３】
しかしながら、ＰＴＰシートを複数まとめてピロー包装してこれを化粧箱に入れる形態の包装体では、防湿性を図る上で有利な面があるものの、ピロー包装による内装材と化粧箱の外装材との二重包装となっており、包装材のコストを大きく引き上げてしまうという不経済な点がある。
また、医薬品を取り扱う部所において、仮に化粧箱を不要品として破棄した場合、上記内装材がＡｌを使用した層構成のものであると、その内装材を破るなどしなければ収容物、即ち、ＰＴＰシートや薬剤そのものを確認することができなくなる。よって、化粧箱を開封したのちにも、化粧箱と内装材とを用いた状態でＰＴＰシートを保管しなければならないという問題があった。
そこで本発明は上記事情に鑑み、複数のＰＴＰシートをまとめて収容する包装形態を簡素なものとしながら、ＰＴＰシートに収納した薬剤に関する情報、ＰＴＰシート、薬剤自体などを確認できるようにすることを課題とし、安価にして、且つ、医薬品の取り扱いを確実に行なえるようにする包装形態を得ることを目的とする。
【０００４】
【課題を解決するための手段】
本発明は上記課題を考慮してなされたもので、透明フィルムの端縁相互をシールして背シール部を備えるスリーブ状の胴部に、内容物を収納したＰＴＰシートを複数積層してなるＰＴＰ積載品を配し、前記胴部の両端をシールして端シール部により収納空間を閉じたガセット式包装体であって、胴部の内側に、胴回り方向への略コ字状の折り起こしにより前記ＰＴＰ積載品を受けて前記端シール部側を開放している情報表示シートを位置させて、該情報表示シートの外表面の掲載情報が胴部の透明フィルムを通して視認可能に設けられ、前記情報表示シートの前記開放部分に位置するＰＴＰシートそれぞれの対向二辺は、前記端シール部に対応していて、前記情報表示シートにおける一方の端シール部側の外表面を接着部として胴部内面に貼り付けられているとともに、他方の端シール部側の外表面を非接着部とし、前記胴部の透明フィルムは、前記非接着部と接着部との境界部分に沿って胴回り方向に切断可能に設けられて、前記ＰＴＰ積載品におけるＰＴＰシートを出し入れ可能にした情報表示シートの前記開放部分が、前記切断可能な部分から前記他方の端シール部側の透明フィルムで覆われていることを特徴とするガセット式包装体を提供して、上記課題を解消するものである。
【０００５】
【発明の実施の形態】
つぎに本発明を図１から図５に示す実施の形態に基づいて詳細に説明する。
図中１はガセット式包装体である。このガセット式包装体１は図示されているように同一のＰＴＰシート２を所定数まとめていて、そのＰＴＰシート２を複数積層してなるＰＴＰ積載品４を包む透明フィルム３をガセット貼りしてなるものであり、従来から行われているガセット貼りと同じように、包装ラインを流れる帯状の透明フィルム３の上に前記ＰＴＰ積載品４を順次送り出し、その透明フィルム３の端縁相互をシールして背シール部５を備えるスリーブ状の胴部６を形成することによって、個々のＰＴＰ積載品４を胴巻き状に包み、さらにＰＴＰ積載品４それぞれに対応した胴部６における両端をシールして端シール部７により収納空間を閉じ、送り出し側の端シール部７をシールするごとに切断して、ＰＴＰ積載品４を透明フィルム３で包装したガセット式包装体１が得られる。
【０００６】
本発明における包装体１では、上記透明フィルム自体にはＰＴＰシート２やそのＰＴＰシート２に収納されている薬剤などに関する情報は設けられていないが、この透明フィルム３を通してＰＴＰシート２、およびこのＰＴＰシート２に収納されている薬剤、カプセル剤を目視できるとともに、前記情報を確認できるように工夫されているものであって、図示において符号８として示す情報表示シートにより前記情報の表示が行なえるようにしている。
まず、情報表示シート８は胴部６の内側に配置されており、胴回り方向への略コ字状の折り起こしによりＰＴＰ積載品４を受けている。この情報表示シート８は前述したように胴回り方向に略コ字状に折り起こされているため、上記端シール部７に対応した部分は開放されている。そして、情報表示シート８に胴回り方向の三面を囲まれた状態にしてその情報表示シート８の内側に配置されたＰＴＰ積載品４にあっては、情報表示シート８の中央面部８ａの上にＰＴＰシート２が積み重ねられるように配置していて、ＰＴＰシート２それぞれの対向二辺が情報表示シート８の開放部分９から（即ち、情報表示シート８が存在しない部分）から直接端シール部７に対応するようにしており、図示するように情報表示シート８の前記開放部分９とＰＴＰシート２それぞれの前記対向二辺とが前記端シール部７側の透明フィルム３で覆われている。
【０００７】
情報表示シート８の外表面（胴部内表面に接する面）は情報表示面１０であり、ＰＴＰシートの取り扱いやＰＴＰシートに収納されている薬剤に関する情報などからなる掲載情報１１を備えていて、透明フィルム３を通して視認可能に設けられている。
また、情報表示シート８では一方の端シール部７側の外表面を接着部１２として胴部６の内面に貼り付けられていて、情報表示シート８が透明フィルム３と一体化されている。なお、前記接着部１２は広く設定されており、上記情報表示面１０の領域の一部分がこの接着部１２の領域とオーバーラップしている。
一方、情報表示シート８における他方の端シール部７側の外表面を非接着部１３としていて、この部分では情報表示シート８と透明フィルム３とは一体化していない。勿論、非接着部１３の領域に位置している情報表示面１０も透明フィルム３を通して目視できる。
【０００８】
上記情報表示シートとしては、例えば、掲載情報の印刷を終えた所要のシートの所定部分に粘着剤を施して接着部を形成したり、或いは基材に上記掲載情報の印刷を施した後に粘着剤を塗工したタック紙として構成し、接着力抑制剤を所定部分に施して非接着部を形成したりすればよく、公知の各種手法によって接着部と非接着部とを備える情報表示シートを作成し、接着部を介してこの情報表示シートが胴部の透明フィルムに貼り合わされるようにすればよい。
【０００９】
情報表示シート８における上記接着部１２と非接着部１３との境界部分１４は直線状であり胴部６の胴回り方向に沿っている。そして、本発明の包装体１においては前記境界部分１４に沿って胴部６を分断し易くなるようにした工夫を備えている。図示されているように、胴部６の背シール部５に二つのスリット（ダブルノッチ）を入れてなる開封手段１５が設けられていて、この開封手段１５は背シール部５において上記非接着部１３の境界部分１４に近接した位置に設けられている。このように前記開封手段１５が境界部分１４に近接した状態にして非接着部１３に対応位置していることから、図４に示されているように開封手段１５の背シール部５をつまみ持って胴回り方向に引っ張るようにすれば、その開封手段１５から先ず背シール部５が二つのスリットの間隔の幅で切れ、そして、この開封手段１５から透明フィルム３が帯状に切り出されて胴部６の透明フィルム３が胴回り方向に切断できる。
【００１０】
上述のようにして胴部６を胴回り方向に切断すると、非接着部１３側の透明フィルム３を除去でき、情報表示シート８の非接着部１３の領域が表出するとともに一方の開放部分９も表出することになり、ＰＴＰ積載品４におけるＰＴＰシートを情報表示シート８の開放部分９から取り出すことができ、また、この開放部分９からＰＴＰシートを差し入れることができるようになる。
そして、情報表示シート８に対して上記折り込みによって生じていた復元力（折り込まれた情報表示シートが開こうとする力）により、胴部６からの拘束が無くなった情報表示シート８の表出部１６では、情報表示シート８の中央面部８ａに対して立て起こされている側面部８ｂそれぞれが外方に傾斜し、開放部分９の間口が大きくなる。
これによって、ＰＴＰシート２の引き出しが容易になり、胴部６へのＰＴＰシートの差し入れも、開放部分９における外方傾斜した側面部８ｂがガイドとなり、この場合も簡単にＰＴＰシート２を胴部６内に入れることができる。
【００１１】
【発明の効果】
以上説明したように、本発明によれば、透明フィルムの端縁相互をシールして背シール部を備えるスリーブ状の胴部に、内容物を収納したＰＴＰシートを複数積層してなるＰＴＰ積載品を配し、前記胴部の両端をシールして端シール部により収納空間を閉じたガセット式包装体であって、胴部の内側に、胴回り方向への略コ字状の折り起こしにより前記ＰＴＰ積載品を受けて前記端シール部側を開放している情報表示シートを位置させて、該情報表示シートの外表面の掲載情報が胴部の透明フィルムを通して視認可能に設けられ、前記情報表示シートの前記開放部分に位置するＰＴＰシートそれぞれの対向二辺は、前記端シール部に対応していて、前記情報表示シートにおける一方の端シール部側の外表面を接着部として胴部内面に貼り付けられているとともに、他方の端シール部側の外表面を非接着部とし、前記胴部の透明フィルムは、前記非接着部と接着部との境界部分に沿って胴回り方向に切断可能に設けられて、前記ＰＴＰ積載品におけるＰＴＰシートを出し入れ可能にした情報表示シートの前記開放部分が、前記切断可能な部分から前記他方の端シール部側の透明フィルムで覆われていることを特徴とするものである。
このように本ガセット式包装体では、外装材となる透明フィルムに内方側から貼り付けた情報表示シートによってＰＴＰシートや薬剤に関する情報を表示するため、包装体の外方から前記情報を確認できるとともに、外方からＰＴＰシートや薬剤自体も目視確認できるようになる。さらに情報表示シートにおける非接着部と接着部との境界部分に沿って胴部の透明フィルムを胴部回り方向に切断して、非接着部側を覆っていた透明フィルムを除去すれば、情報表示シートの透明フィルムに対して非接着となっていた側の開放部分が表出し、受け形状となっている表出部をＰＴＰシートの出し入れを行なう際のガイドとして利用できるなど、実用性に優れた効果を奏するものである。
【図面の簡単な説明】
【図１】本発明に係るガセット式包装体の一例を示す説明図である。
【図２】同じく一例における背シール部を示す説明図である。
【図３】一例の胴部を情報表示シートの接着部の位置での断面で示す説明図である。
【図４】開封する状態を示す説明図である。
【図５】開封後の情報表示シートにおける開放部分を示す説明図である。
【符号の説明】
１…ガセット式包装体
３…透明フィルム
４…ＰＴＰ積載品
５…背シール部
６…胴部
８…情報表示シート
９…開放部分
１０…情報表示面
１２…接着部
１３…非接着部
１４…境界部分
１５…開封手段
１６…表出部
【図１】
0004770073.tif 000002
【図２】
0004770073.tif 000003
【図３】
0004770073.tif 000004
【図４】
0004770073.tif 000005
【図５】
0004770073.tif 000006